(57)【要約】【課題】撮像中に電話通信があっても、カメラでの撮像を継続可能なカメラ付き携帯電話、このカメラ付き携帯電話と他の電話機との間の通話を確立する電話交換機、及び、前記カメラ付き携帯電話と電話交換機を含んで構成されるカメラ動作通知システムを提供する。【解決手段】カメラ動作中フラグがオンの場合には、接続路（１）が保留にされ、保留表示発生部４６からカメラ付き携帯電話１０へ接続路（２）により保留表示が送信される。また、保留音発生部４８から電話端末５４へ接続路（３）により保留音が送信される。【選択図】　図３
2004120326.tif 000002
【特許請求の範囲】
【請求項１】
少なくとも撮像動作を含むカメラ動作と、電話交換機を介しての電話通信と、が可能なカメラ付き携帯電話であって、
カメラ動作を電話通信に優先させることを予め入力することの可能な入力手段と、
カメラ動作の開始及び終了を検知する検知手段と、
前記入力手段によりカメラ動作の優先が入力されている場合には、前記検知手段によりカメラ動作の開始が検知された後、カメラ動作の終了が検知される前に、電話通信がカメラ動作の妨げとならないような制御を指示する電話通信制御指示手段と、
を備えたカメラ付き携帯電話。
【請求項２】
前記電話通信制御指示手段は、前記検知手段によりカメラ動作の開始が検知された時にカメラ動作が開始された旨を電話交換機へ連絡し、前記検知手段によりカメラ動作の終了が検知された時にカメラ動作が終了した旨を電話交換機へ連絡すること、を特徴とする請求項１に記載のカメラ付き携帯電話。
【請求項３】
前記カメラ動作には、撮像後のデータの転送を含むこと、を特徴とする請求項１または請求項２に記載のカメラ付き携帯電話。
【請求項４】
少なくとも電話通信がある旨の情報を含む電話通信情報を電話交換機から受信する受信手段と、
前記検知手段によりカメラ動作の開始が検知された後、カメラ動作の終了が検知される前に、前記受信手段により受信された電話通信情報を報知する報知手段と、
をさらに備えた請求項１乃至請求項３のいずれか１項に記載のカメラ付き携帯電話。
【請求項５】
カメラ付き携帯電話からのカメラ動作を開始した旨及びカメラ動作が終了した旨の連絡を受信するカメラ動作受信手段と、
前記カメラ動作受信手段によりカメラ付き携帯電話からカメラ動作を開始した旨の連絡を受信後、カメラ動作が終了した旨の連絡を受信前に、このカメラ付き携帯電話への電話通信があった場合には、この電話通信と前記カメラ付き携帯電話との通話路の確立を禁止すると共に、この電話通信の通話元へ前記カメラ付き携帯電話がカメラ動作中である旨の連絡を行う通信連絡手段と、
を備えた電話交換機。
【請求項６】
前記通信連絡手段は、カメラ付き携帯電話からカメラ動作を開始した旨の連絡の受信後、カメラ動作が終了した旨の連絡の受信前に、このカメラ付き携帯電話への電話通信があった場合には、前記カメラ付き携帯電話へ電話通信がある旨の通信連絡を行うこと、を特徴とする請求項５に記載の電話交換機。
【請求項７】
請求項２のカメラ付き携帯電話と、
請求項５の電話交換機と、
を備えたカメラ動作通知システム。
【発明の詳細な説明】
【０００１】
【発明の属する技術分野】
本発明は、カメラ付き携帯電話、電話交換機、及び、カメラ動作通知システムに係り、特に、撮像、撮像したデータの転送、及び電話交換機を介しての電話通信が可能なカメラ付き携帯電話、このカメラ付き携帯電話と他の電話機との間の通話を確立する電話交換機、及び、前記カメラ付き携帯電話と電話交換機を含んで構成されるカメラ動作通知システムに関する。
【０００２】
【従来の技術】
近年、携帯電話に撮像機能を持たせた、いわゆる、カメラ付き携帯電話が普及してきている。通常、カメラ付き携帯電話が、撮像中に電話を受信した場合には、電話通信が優先され、撮像動作は中止されていた。しかしながら、撮像中に電話を受信した場合でも、撮像を優先したい場合がある。
【０００３】
ところで、特許文献１には、通話中に他の電話を受信した場合には、先の通話を継続させながら後の通話に対して通話中である旨のメッセージを送出する交換機のキャッチホン制御方式についての発明が開示されている。この発明によれば、先の通話を切断することなく後の電話の通話者に通話中である旨を通知することができる。
【０００４】
しかしながら、この発明は、カメラ付き携帯電話についてのものではなく、撮像中に電話を受信した場合に、撮像を優先させることができるものではない。
【０００５】
【特許文献１】
特開平６−２４４９４５号公報
【０００６】
【発明が解決しようとする課題】
本発明は、上記事実を考慮して成されたものであり、撮像中に電話通信があっても、カメラでの撮像を継続可能なカメラ付き携帯電話、このカメラ付き携帯電話と他の電話機との間の通話を確立する電話交換機、及び、前記カメラ付き携帯電話と電話交換機を含んで構成されるカメラ動作通知システムを提供することを目的とする。
【０００７】
【課題を解決するための手段】
上記目的を達成するために、請求項１に記載のカメラ付き携帯電話は、少なくとも撮像動作を含むカメラ動作と、電話交換機を介しての電話通信と、が可能なカメラ付き携帯電話であって、カメラ動作を電話通信に優先させることを予め入力することの可能な入力手段と、カメラ動作の開始及び終了を検知する検知手段と、前記入力手段によりカメラ動作の優先が入力されている場合には、前記検知手段によりカメラ動作の開始が検知された後、カメラ動作の終了が検知される前に、電話通信がカメラ動作の妨げとならないような制御を指示する電話通信制御指示手段と、を含んで構成されている。
【０００８】
上記構成のカメラ付き携帯電話を使用するユーザーは、入力手段から、カメラの動作を電話通信に優先させることを、予め入力することができる。この入力がなされている場合には、電話通信制御指示手段により、カメラ動作の開始後この動作の終了前に、電話通信がカメラ動作の妨げとならないような制御が指示される。ここでの指示は、カメラ付き携帯電話自体が電話通信を制御するように指示するものであっても、カメラ付き携帯電話以外のものに対して電話通信を制御するように指示するものであってもよい。これにより、カメラ動作中に電話通信があっても、カメラ動作を継続することができる。
【０００９】
なお、本発明のカメラ付き携帯電話は、請求項２に記載のように、前記電話通信制御指示手段が、前記検知手段によりカメラ動作の開始が検知された時にカメラ動作が開始された旨を電話交換機へ連絡し、前記検知手段によりカメラ動作の終了が検知された時にカメラ動作が終了した旨を電話交換機へ連絡すること、を特徴とすることもできる。
【００１０】
上記構成によれば、電話交換機に対してカメラ動作が開始された旨の連絡、及びカメラ動作が終了した旨の連絡が行われるので、電話交換機では、カメラが動作中である旨を把握することができる。したがって、電話交換機がカメラ動作中のカメラ付き携帯電話に対する電話通信を受けた場合に、当該電話通信を制御してカメラ動作に支障を与えないようにすることができる。
【００１１】
また、本発明のカメラ付き携帯電話は、請求項３に記載のように、カメラ動作に撮像後のデータの転送を含むことを特徴とすることもできる。これにより、撮影した後にデータの転送を行っている最中に電話通信があっても、このデータの転送を継続することが可能となる。
【００１２】
また、本発明のカメラ付き携帯電話は、請求項４に記載のように、少なくとも電話通信がある旨の情報を含む電話通信情報を電話交換機から受信する受信手段と、前記検知手段によりカメラ動作の開始が検知された後、カメラ動作の終了が検知される前に、前記受信手段により受信された電話通信情報を報知する報知手段と、をさらに含んで構成することもできる。
【００１３】
上記構成によれば、受信手段により、少なくとも電話通信がある旨の情報を含む電話通信情報が受信される。この電話通信情報は電話交換機からのものである。そして、報知手段により、前記検知手段によりカメラ動作の開始が検知された後、カメラ動作の終了が検知される前に、受信手段により受信された電話通信情報が報知される。したがって、ユーザーは、カメラ動作中に電話通信があった旨を認知することができる。
【００１４】
本発明の電話交換機は、カメラ付き携帯電話からのカメラ動作を開始した旨及びカメラ動作が終了した旨の連絡を受信するカメラ動作受信手段と、前記カメラ動作受信手段によりカメラ付き携帯電話からカメラ動作を開始した旨の連絡を受信後、カメラ動作が終了した旨の連絡を受信前に、このカメラ付き携帯電話への電話通信があった場合には、この電話通信と前記カメラ付き携帯電話との通話路の確立を禁止すると共に、この電話通信の通話元へ前記カメラ付き携帯電話がカメラ動作中である旨の連絡を行う通信連絡手段と、を含んで構成されている。
【００１５】
上記構成によれば、カメラ動作受信手段により、カメラ付き携帯電話からのカメラ動作を開始した旨及びカメラ動作が終了した旨の連絡が受信される。したがって、電話交換機は、カメラ付き携帯電話がカメラ動作中であることを把握できる。そして、カメラ付き携帯電話のカメラ動作中に、このカメラ付き携帯電話に対する電話通信があった場合には、通信連絡手段によって、この電話通信と前記カメラ付き携帯電話との通話路の確立が禁止され、電話通信の通話元へカメラ付き携帯電話がカメラ動作中である旨の連絡が行われる。したがって、カメラ付き携帯電話では、電話通信によってカメラ動作が中止されることがなく、カメラ動作を継続することができる。また、電話通信の通信元では、相手先がカメラ動作中であることの情報を得ることができる。
【００１６】
なお、本発明の電話交換機は、請求項６に記載のように、前記通信連絡手段が、カメラ付き携帯電話からカメラ動作を開始した旨の連絡を受信後、カメラ動作が終了した旨の連絡を受信前に、このカメラ付き携帯電話への電話通信があった場合には、前記カメラ付き携帯電話へ電話通信がある旨の通信連絡を行うこと、を特徴とすることもできる。
【００１７】
上記構成によれば、カメラ付き携帯電話では電話通信があった旨の情報を得ることができる。
【００１８】
本発明のカメラ動作通知システムは、請求項２のカメラ付き携帯電話と、請求項５の電話交換機と、を含んで構成されている。
【００１９】
上記構成によれば、カメラ付き携帯電話の入力手段により、カメラの動作を電話通信に優先させることが入力されている場合には、電話通信制御指示手段により、カメラ動作の開始が検知された時にカメラ動作が開始した旨が電話交換機へ連絡され、カメラ動作の終了が検知された時にカメラ動作が終了した旨が電話交換機へ連絡される。電話交換機では、カメラ動作受信手段によりこの連絡が受信され、カメラ動作中であることを把握することができる。そして、このカメラ動作中に当該カメラ付き携帯電話に対する電話通信があった場合には、通信連絡手段によって、この電話通信と前記カメラ付き携帯電話との通話路の確立が禁止され、電話通信の通話元へカメラ付き携帯電話がカメラ動作中である旨の連絡が行われる。したがって、カメラ付き携帯電話では、電話通信によってカメラ動作が中止されることがなく、カメラ動作を継続することができる。また、電話通信の通信元では、相手先がカメラ動作中であることの情報を得ることができる。
【００２０】
【発明の実施の形態】
以下、図面を参照して本発明の実施の形態について説明する。
【００２１】
本実施形態のカメラ付き携帯電話１０は、図１に示すように、正面に、各種の情報を表示するディスプレイ１２、ユーザーが各種の入力操作を行うための複数の操作キーにより構成される入力部１４、画像を撮像するためのカメラ１６、音声を入力するマイク１８、及び、音声を出力するスピーカ２０、及び受信ライト２２を備える。また、上面に、電波の送受信を行うアンテナ２４を備え、側面上側に入力手段としての指定ボタン２６を備える。
【００２２】
ディスプレイ１２は、ユーザーが入力した情報、外部から受信した情報等を表示する。ユーザーは、入力部１４から、電源のＯＮ／ＯＦＦ、データの送受信、各種モード切換え、文字の入力等を指示する。入力部１４には、カメラ１６のシャッタ開放を指示するためのシャッタボタン１４Ａ、後述するメッセージの送信を依頼するためのメッセージボタン１４Ｂを備える。
【００２３】
カメラ１６は、所定の操作キー１４からの指示により、画像を取り込む。マイク１８は、通話の際に音声を取り込み、スピーカ２０は、通話の際に通話の相手方からの音声等を出力する。
【００２４】
指定ボタン２６は、いわゆるプッシュ式のボタン構造とされており、カメラ付き携帯電話１０の筐体１１から突出したオフ位置２６Ａから、筐体１１へ向かって１回押し込まれることにより、筐体１１からの突出量がオフ位置２６Ａよりも小さいオン位置２６Ｂに保持され、もう一度押し込まれることにより、オフ位置２６Ａに戻る構造とされている。指定ボタン２６は、オン位置２６Ｂに移動されることにより、電話通信よりもカメラ動作を優先させることのカメラ動作優先指示を行うことができる。
【００２５】
図２のブロック図に示すように、携帯電話１０の内部には、制御部３０、及び内部メモリ３２が備えられている。
【００２６】
制御部３０は、入力部１４、カメラ１６、指定ボタン２６、受信ライト２２、ディスプレイ１２、内部メモリ３２、及びアンテナ２４と接続されている。制御部３０は、指定ボタン２６からの、カメラ動作優先指示を受け取ることができ、入力部１４のシャッターボタン１４Ｂからの信号により、カメラ動作中であるとの検知を行うことができる。また、カメラ１６により取り込まれた画像の画像データを受け取り、内部メモリ３２に書き込み、この書き込みが終了した時にカメラ動作が終了したことの検知を行うことができる。さらに、制御部３０は、受信ライト２２、ディスプレイ１２へ、電話受信があった旨の報知をするように指示することができ、アンテナ２４を介して外部との通信を行うことができる。
【００２７】
本実施形態の電話交換機４０は、図３に示すように、通話路回路４２、メモリ制御部４４、保留表示発生部４６、保留音発生部４８、メッセージ発生部５０、及び処理部５２を備える。通話路回路４２は、メモリ制御部４４、保留表示発生部４６、保留音発生部４８、メッセージ発生部５０、及び処理部５２と接続されている。
【００２８】
メモリ制御部４４は、外部メモリ５６と接続され、カメラ付き携帯電話１０や他の電話端末５４からのデータを外部メモリ５６へ出力可能とされている。保留表示発生部４６、保留音発生部４８、及びメッセージ発生部５０は、通話路回路４２を介して、基地局５８と接続され、カメラ付き携帯電話１０や他の電話端末５４へ情報の送信が可能とされている。
【００２９】
処理部５２は、通話路回路４２と接続され、カメラ付き携帯電話１０や他の電話端末５４からの情報を受信可能とされている。また、処理部５２は、メモリ制御部４４、保留表示発生部４６、保留音発生部４８、及びメッセージ発生部５０と接続され、各々へ、情報の送信指示を出力可能とされている。
【００３０】
次に、本実施形態の作用について説明する。
【００３１】
ユーザーが、図１及び図２に示す指定ボタン２６を押すと、指定ボタン２６は、オフ位置２６Ａからオン位置２６Ｂへ移動し、カメラ動作を優先させるカメラ動作優先指示信号が、図２に示す制御部３０に送信される。制御部３０では、このカメラ動作優先指示信号を受け取って、制御部３０内の図示しないメモリの指示フラグをオンに設定する。この指示フラグがオンの間は、カメラ動作が電話通信に優先されることになる。
【００３２】
もう一度、ユーザーが、指定ボタン２６を押すと、指定ボタン２６は、オン位置２６Ｂからオフ位置２６Ａへ移動し、カメラ動作の優先を解除するカメラ動作優先解除信号が、制御部３０に送信される。制御部３０では、このカメラ動作優先解除信号を受け取って、前記メモリの指示フラグをオフにする。
【００３３】
撮像の際に、ユーザーが、図１に示すシャッターボタン１４Ａを半押しにすると、図４に示すカメラ動作連絡処理が行われる。
【００３４】
ステップＳ１０で、カメラ動作を優先させる指示フラグがオンに設定されているかどうかを判断する。判断が否定された場合には、本処理を終了する。判断が肯定された場合には、ステップＳ１２で、アンテナ２４を介して、図３に示す電話交換機４０へカメラ動作中である旨の連絡を行う。この連絡を受けた電話交換機４０では、処理部５２の図示しないメモリに記録されるカメラ動作中フラグがオンにされる。カメラ付き携帯電話１０のシャッターボタン１４Ａが完全に押されると、図１及び図２に示すカメラ１６から画像が取り込まれ、制御部３０へ画像データが入力される。
【００３５】
制御部３０では、ステップＳ１４で、入力された画像データに所定の処理を施し、ステップＳ１６で、処理後の画像データを内部メモリ３２へ出力する。そして、この出力の完了後、ステップＳ１８で、アンテナ２４を介して、電話交換機４０へカメラ動作が終了した旨の連絡を行って本処理を終了する。この連絡を受けた電話交換機４０では、処理部５２のカメラ動作中フラグがオフにされる。
【００３６】
本処理により、カメラ動作中には、電話交換機４０に、カメラ動作中であることを認知させることができる。
【００３７】
図５は、通話路回路４２内の接続関係を示す概念図である。図中の（１）〜（４）は、各部間の接続路を示す。電話交換機４０では、他の電話端末５４からカメラ付き携帯電話１０への電話通信を受信すると、処理部５２で、図６に示す電話通信制御処理が行われる。
【００３８】
ステップＳ３０で、カメラ動作中フラグがオンかどうかを判断し、判断が否定された場合には、ステップＳ３２で、カメラ付き携帯電話１０と電話端末５４との間の接続路（１）を確立して本処理を終了する。これにより、カメラ付き携帯電話１０と電話端末５４との間の通話が可能となる。ステップＳ３０の判断が肯定された場合には、ステップＳ３４で、接続路（１）が保留にされる。ステップＳ３６で、保留表示発生部４６にカメラ付き携帯電話１０へ保留表示を送信するように指示し、ステップＳ３８で、保留音発生部４８に電話端末５４へ保留音を送信するように指示する。
【００３９】
これらの指示により、保留表示発生部４６は、接続路（２）によりカメラ付き携帯電話１０へ保留表示を送信する。これを受け取ったカメラ付き携帯電話１０は、受信ライト２２の点灯を行う（図７（Ａ）参照）。カメラ付き携帯電話１０のユーザーは、この点灯により電話受信があったことを確認することができる。
【００４０】
なお、本実施形態では、受信ライト２２の点灯により電話受信があった旨が報知される例について説明するが、図７（Ｂ）に示すように、ディスプレイ１２に「電話受信有」等のメッセージを表示することにより電話受信があった旨を報知することもできる。さらには、音声により電話受信があった旨を報知することもできる
一方、保留音発生部４８は、接続路（３）により電話端末５４へ保留音を送信する。電話端末５４では、保留音が受信されて、図示しないスピーカーから保留音が流れる。なお、この保留音は、カメラ撮影中であることを示す保留音であり、「カメラ撮影中です」という音声であっても、その他のカメラ撮影中である旨を示す音声であってもよい。電話端末５４のユーザーは、この保留音を聞くことにより、通話の相手先との接続路（１）が保留されていることを認識することができる。
【００４１】
ところで、受信ライト２２の点灯を確認した、カメラ付き携帯電話１０のユーザーは、カメラでの撮影が長引くことが予想される場合などは、電話の相手に対して「後で連絡します」などのメッセージを送信したい場合がある。その場合には、メッセージボタン１４Ｂを押すことにより、このメッセージの送信をしてほしい旨の指示を電話交換機へ行うことができる。この指示を受け取った電話交換機４０の処理部５２では、ステップＳ４０で、カメラ付き携帯電話１０からメッセージ発生指示があったかどうかを判断し、判断が肯定された場合には、ステップＳ４２でメッセージ発生部５０へメッセージ発生指示を出力してステップＳ４４へ進む。メッセージ発生指示を受けたメッセージ発生部５０では、接続路（４）により、電話端末５４へカメラ撮影中である旨のメッセージを送信する。メッセージを受け取った電話端末５４のディスプレイには、例えば、図８に示すように、「後で連絡します」のメッセージが表示される。
【００４２】
判断が否定された場合には、メッセージ発生指示を出力せずにステップＳ４４へ進む。ステップＳ４４で、カメラ動作の終了連絡があったかどうか、すなわち、カメラ動作中フラグがオンかどうかを判断する。判断が否定された場合には、ステップＳ４６で、接続路（１）が保留中かどうかを判断する。これは、電話端末５４がのユーザーが、接続を自発的に切断した場合には、接続路（１）は切断され、その後の接続路（１）確立処理は不要となり、カメラ付き携帯電話１０への電話受信連絡も不要となるために、後述するステップＳ５０、ステップＳ５２へ進むためである。接続路（１）が保留中であった場合には、ステップＳ４０へ戻って以下の処理を繰り返す。接続路（１）が保留中でなかった場合には、ステップＳ４８へ進む。
【００４３】
ステップＳ４４でカメラ動作の終了連絡があったと判断された場合には、ステップＳ４８で、接続路（１）を確立する。そして、ステップＳ５０で、保留表示発生部４６にカメラ付き携帯電話１０への保留表示終了を送信するように指示し、ステップＳ５２で、保留音発生部４８に電話端末５４への保留音送信を終了するように指示して、本処理を終了する。この指示により、保留表示発生部４６はカメラ付き携帯電話１０へ保留表示終了を送信し、これを受けたカメラ付き携帯電話１０の制御部３０は、保留表示終了を受信ライト２２に指示する。受信ライト２２は、この指示を受けて消灯する。また、保留音発生部４８は電話端末５４への保留音の送信を終了する。
【００４４】
本実施の形態によれば、シャッターボタン１４Ｂが半押しされた後、カメラ１６から取り込まれた画像データの内部メモリ３２への出力が終了するまでは、接続路（１）が確立されないので、カメラ付き携帯電話１０の一連のカメラ動作が中断されず、カメラ動作を継続することができる。
【００４５】
なお、本実施形態では、シャッターボタン１４Ｂが半押しされた後、カメラ１６から取り込まれた画像データの内部メモリ３２への出力が終了するまでを、カメラ動作中として、この間、電話交換機４０のカメラ動作フラグをオンにしたが、その他のカメラ動作、例えば、カメラ付き携帯電話１０で動画を撮像する場合に、録画ボタンが押された後、再度録画ボタンが押されて撮影の終了が指示されるまでを、カメラ動作中として、電話交換機４０のカメラ動作フラグをオンにすることもできる。
【００４６】
また、カメラ付き携帯電話１０から、図９に示す外部メモリ５６へ、画像データを転送中にも、カメラ動作中として、電話交換機４０のカメラ動作フラグをオンにすることもできる。この場合には、図７に示すように、カメラ付き携帯電話１０とメモリ制御部４４との間の接続路（５）により画像データが転送される。この場合にも、上記と同様にして、画像データの転送を継続することができる。
【００４７】
また、本実施形態では、カメラ付き携帯電話１０は、カメラ動作中であることを電話交換機４０に連絡することにより電話通信の制御指示を行い、電話交換機４０で、接続路（１）の確立を制御することにより、電話端末５４からの電話通信によりカメラ付き携帯電話１０の動作が中断されないようにしたが、カメラ付き携帯電話１０自体が、電話端末５４からの電話通信を制御することによりカメラ付き携帯電話１０の動作が中断されないようにすることもできる。この制御は、例えば、電話端末５４からの電話通信の受信を拒否することにより行うことができる。
【００４８】
【発明の効果】
以上説明したように、本発明のカメラ付き携帯電話によれば、カメラ動作の開始後この動作の終了前に、電話通信がカメラ動作の妨げとならないような制御が指示されるので、カメラ動作中に電話通信があっても、カメラ動作を継続することができる。
【００４９】
また、本発明の電話交換機によれば、カメラ付き携帯電話のカメラ動作中にこのカメラ付き携帯電話に対する電話通信があった場合には、通信連絡手段によって、この電話通信と前記カメラ付き携帯電話との通話路の確立が禁止され、電話通信の通話元へカメラ付き携帯電話がカメラ動作中である旨の連絡が行われる。したがって、カメラ付き携帯電話では、電話通信によってカメラ動作が中止されることがなく、カメラ動作を継続することができる。
【００５０】
また、本発明のカメラ動作通知システムによれば、カメラ動作の開始が検知された時にカメラ動作中である旨が電話交換機へ連絡され、カメラ動作の終了が検知された時にカメラ動作が終了した旨が電話交換機へ連絡されるので、電話交換機では、カメラ動作中であることを把握することができる。そして、このカメラ動作中に当該カメラ付き携帯電話に対する電話通信があった場合には、通信連絡手段によって、この電話通信と前記カメラ付き携帯電話との通話路の確立が禁止され、電話通信の通話元へカメラ付き携帯電話がカメラ動作中である旨の連絡が行われる。したがって、カメラ付き携帯電話では、電話通信によってカメラ動作が中止されることがなく、カメラ動作を継続することができる。
【図面の簡単な説明】
【図１】本実施形態のカメラ付き携帯電話の正面概略図である。
【図２】本実施形態のカメラ付き携帯電話の内部を概念的に示すブロック図である。
【図３】本実施形態の電話交換機とその周辺の構成を示す概略図である。
【図４】カメラ動作連絡処理のフローチャートである。
【図５】通話路回路内の接続関係を示す概念図である。
【図６】電話通信制御処理のフローチャートである。
【図７】電話受信があった旨の報知例である。
【図８】電話端末へのメッセージ表示例である。
【図９】通話路回路内の他の接続関係を示す概念図である。
【符号の説明】
１０　　カメラ付き携帯電話
１２　　ディスプレイ（報知手段）
１６　　カメラ
２２　　受信ライト（報知手段）
２４　　アンテナ（受信手段）
２６　　指定ボタン（入力手段）
３０　　制御部（検知手段、電話通信制御連絡手段、受信手段）
４０　　電話交換機
５０　　メッセージ発生部（通信連絡手段）
５２　　処理部（カメラ動作受信手段、通信連絡手段）
【図１】
2004120326.tif 000003
【図２】
2004120326.tif 000004
【図３】
2004120326.tif 000005
【図４】
2004120326.tif 000006
【図５】
2004120326.tif 000007
【図６】
2004120326.tif 000008
【図７】
2004120326.tif 000009
【図８】
2004120326.tif 000010
【図９】
2004120326.tif 000011